(57)【要約】      （修正有）【課題】部品点数が少なくて組み立て及び分解が容易であり、安価に製造でき、作業性が良好な濾過器の提供。【解決手段】濾過器は、上から順に、試料貯留部、フィルタ部、及び、濾過液収容部、を備え、試料貯留部は、フィルタ周縁押圧部２１を有し、フィルタ部は、フィルタホルダ３１を有し、フィルタ周縁押圧部とフィルタホルダとの間でフィルタＦが挟持されることを特徴とする濾過器。【選択図】図３
2020163382.tif 000002
【特許請求の範囲】
【請求項１】
上から順に、試料貯留部、フィルタ部、及び、濾過液収容部、を備え、
前記試料貯留部は、フィルタ周縁押圧部を有し、
前記フィルタ部は、フィルタホルダを有し、
前記フィルタ周縁押圧部と前記フィルタホルダとの間でフィルタが挟持される、
濾過器。
【請求項２】
前記フィルタ部は、排気口を有する、請求項１に記載の濾過器。
【請求項３】
前記フィルタ部は、濾過液を誘導する濾過液誘導部を有する、請求項１又は２に記載の濾過器。
【請求項４】
前記フィルタ周縁押圧部と前記フィルタとの間に緩衝部材を配置した、請求項１〜３のいずれか１項に記載の濾過器。
【請求項５】
前記濾過液収容部が、前記試料貯留部及び前記フィルタ部とは別部材からなり、前記濾過液収容部の開口部を被覆する着脱可能な蓋部材を有する、請求項１〜４のいずれか１項に記載の濾過器。
【請求項６】
前記蓋部材が、蓋本体とこの蓋本体に形成された開口部と、この開口部を開閉可能な開閉部とを有する、請求項５に記載の濾過器。
【発明の詳細な説明】
【技術分野】
【０００１】
本発明は、濾過器に関する。
【背景技術】
【０００２】
環境、上下水道、超純水、食品、衛生、バイオ、医学、臨床分野等では、試料検査の際に、検液（試験液）作成を伴う溶出試験を行うことがある。検液の作成は、濾過器を用いることが多い。
【０００３】
例えば、土壌汚染対策法に基づいて行われる土壌あるいは廃棄物の溶出試験法においては、検液作成の方法が規定されている。この溶出試験法は、一般に、採取した試料を、乾燥、分級、計量、溶媒による抽出、遠心分離、上澄液の濾過、得られた濾液（検液）の分析、という手順で行われる。
【０００４】
このうち、上澄液の濾過は、吸引濾過器を用いて行われ、上澄液の注入、濾過液の回収、濾紙交換、濾過器の洗浄等の作業が手作業により行われる。このため、濾過作業時の取扱性及び作業性が良好で、組み立て及び分解が容易な濾過器が求められている。さらに、構成部品数が少なく安価な濾過器が求められている。
【０００５】
このような濾過器としては、従来、以下のようなものが知られている。特許文献１には、細菌検査に用いる濾過器が記載されている。この濾過器は、サンプルを貯留するホルダの底部凹部をフィルタ台に被せ、フィルタ台外周の環状突起によりホルダとフィルタ台とを密着保持する。しかし、ホルダとフィルタ台とを密着保持する際、フィルタ台上のメンブランフィルタＭの周縁部とホルダとの間に空隙が生じることがあり、減圧濾過を行うとメンブランフィルタＭの周縁部が浮き上がり、濾過漏れが発生するおそれがある。さらに、濾過器の部品点数が多いため、濾過器の組み立て及び分解に手間がかかり、また、濾過器が高価なものとなる。
【０００６】
特許文献２には、土壌検定に用いる簡易抽出濾過器が記載されている。この濾過器は、筒状の濾過本体と、濾過本体に接続し底部にそれぞれ脱気孔を有する一対の有底筒状容器とが液密に接続されている。濾過本体内中間部には、濾液落下部が貫通された濾紙支持板と、濾紙支持板上に濾紙が配置されている。しかし、濾紙の周縁部が固定されていないため、減圧濾過を行うと濾紙の周縁部が浮き上がり、濾過漏れが発生するおそれがある。
【０００７】
特許文献３には、実験用ろ過器が記載されている。このろ過器は、試料を貯留するガラスファネルと、濾過液を収容吸引瓶に連結されたガラスベースとにより、濾紙及び濾過板をクランプで挟持する。しかし、ろ過器の安定性が悪く、取り扱い性や作業性に問題がある。また、クランプでの挟持部が動いて、ガラスファネルと濾紙との間に空隙が生じることがあり、減圧濾過を行うと濾紙の周縁部が浮き上がり、濾過漏れが発生するおそれがある。さらに、ろ過器の部品数が多いため、組み立て及び分解に手間がかかり、ろ過器が高価なものなる。ガラス製であることから、壊れやすい等の問題もある。
【０００８】
特許文献４には、てんぷら油等の液中の不純物を濾過する簡易濾過器が記載されている。この濾過器は、受器と、支持筒と、濾過容器とを有し、支持筒中に収容されるエレメントの外縁部が、支持筒の通液性の底と、濾過容器が有する環状鍔とで圧縮される。しかし、この濾過器は、濾過容器の構造が複雑で製造に手間がかかり、濾過器が高価なものとなる。
【０００９】
特許文献５には、懸濁溶液などを濾過するための濾過装置が記載されている。この濾過装置は、第１の濾過器と第２の濾過器とを有し、構造が複雑で部品点数が多いため、濾過装置の組み立て及び分解に手間がかかり、高価なものとなる。
【先行技術文献】
【特許文献】
【００１０】
【特許文献１】特開平８−２５７３１８号公報
【特許文献２】実公平４−４１９２２号公報
【特許文献３】実開昭６２−１３５０５号公報
【特許文献４】実公昭６０−２６７６５号公報
【特許文献５】実開昭５５−１６７４０８号公報
【発明の概要】
【発明が解決しようとする課題】
【００１１】
本発明は、上述したような課題に鑑みてなされたものであり、部品点数が少なくて組み立て及び分解が容易であり、安価に製造でき、作業性が良好な濾過器を提供することを目的とする。
【課題を解決するための手段】
【００１２】
上記課題を解決するために本発明は、上から順に、試料貯留部、フィルタ部、及び、濾過液収容部、を備え、前記試料貯留部は、フィルタ周縁押圧部を有し、前記フィルタ部は、フィルタホルダを有し、前記フィルタ周縁押圧部と前記フィルタホルダとの間でフィルタが挟持される、濾過器を提供する（発明１）。
【００１３】
かかる発明（発明１）によれば、部品点数が少なくて組み立て及び分解が容易であり、安価に製造でき、作業性が良好な濾過器とすることができる。
【００１４】
上記発明（発明１）においては、前記フィルタ部は、排気口を有することが好ましい（発明２）。また、上記発明（発明１，２）においては、前記フィルタ部は、濾過液を誘導する濾過液誘導部を有することが好ましい（発明３）。
【００１５】
かかる発明（発明２，３）によれば、排気口から吸引することで、効率良く濾過することができ、さらに、濾過液誘導部を有することで、濾過液が排気口に吸引されることを防ぐことができる。
【００１６】
上記発明（発明１〜３）においては、前記フィルタ周縁押圧部と前記フィルタとの間に緩衝部材を配置することが好ましい（発明４）。
【００１７】
かかる発明（発明４）によれば、フィルタ周縁押圧部の押圧力がフィルタに伝播するのを緩衝部材が緩和することにより、フィルタにひずみなどが生じることを防止することができる。
【００１８】
上記発明（発明１〜４）においては、前記濾過液収容部が、前記試料貯留部及び前記フィルタ部とは別部材からなり、前記濾過液収容部の開口部を被覆する着脱可能な蓋部材を有することが好ましい（発明５）。特に上記発明（発明５）においては、前記蓋部材が、蓋本体とこの蓋本体に形成された開口部と、この開口部を開閉可能な開閉部とを有することが好ましい（発明６）。
【００１９】
かかる発明（発明５，６）によれば、濾過液収容部に濾過液を貯留したら、この濾過液収容部に蓋部材を取り付けることで、容易に濾過液を持ち運んだり、保管したりすることができる。特に蓋部材に開口部を形成して、この開口部を開閉部により開閉することにより、濾過液収容部蓋部材を取り付けたまま濾過液を取り出すことができる。
【発明の効果】
【００２０】
本発明によると、部品点数が少なくて組み立て及び分解が容易であり、安価に製造でき、作業性が良好な濾過器を得ることができる。
【図面の簡単な説明】
【００２１】
【図１】本発明の第一の実施形態に係る濾過器の正面図である。
【図２】前記第一の実施形態に係る濾過器の断面図である。
【図３】図２における要部拡大図である。
【図４】前記第一の一実施形態に係る濾過器の上面図である。
【図５】本発明の第二の実施形態に係る濾過器の緩衝部材を示す平面図である。
【図６】前記第二の実施形態に係る濾過器のフィルタ周縁押圧部を示す平面図である。
【図７】前記第二の実施形態に係る濾過器のフィルタと緩衝部材とフィルタ周縁押圧部の積層構造を示す概略図である。
【図８】前記第二の実施形態に係る濾過器のフィルタと緩衝部材とフィルタ周縁押圧部の積層状態を示す縦断面図である。
【図９】本発明の第三の実施形態に係る濾過器において、濾過液収容部に蓋部材を取り付けた状態を示す斜視図である。
【図１０】前記第三の実施形態に係る濾過器の蓋部材の別例を示す平面図である。
【図１１】前記第三の実施形態に係る濾過器の蓋部材の別例を示す右側面図である。
【発明を実施するための形態】
【００２２】
［第一の実施形態］
以下、図面を参照してさらに詳細に説明する。図１〜４は、本発明の第一の実施形態による濾過器を示している。図１に示すように、濾過器１は、試料貯留部２、フィルタ部３、及び、濾過液収容部４、を少なくとも備えている。また、図２〜４に示すように、試料貯留部２は、フィルタ周縁押圧部２１を、フィルタ部３は、フィルタホルダ３１を、少なくとも有する。
【００２３】
＜試料貯留部＞
試料貯留部２は、濾過する試料を貯留するもので、フィルタ周縁押圧部２１を少なくとも有する。
【００２４】
試料貯留部２は、図２、図３に示すように試料を受け入れる上部開口部２２、フィルタと連接する下部開口部２３、上部開口部と下部開口部の間に形成されている周壁２４、上部開口部２２と下部開口部２３と周壁２４とで画定される貯留部２５、連結部２６、の１つ以上を有していてもよい。
【００２５】
この試料貯留部２の形状は、特に限定されず、例えば、筒状、好ましくは円筒状とされる。この試料貯留部２に貯留される試料としては、例えば、土壌の溶出試験法において、検液を作成するための試料液等があげられる。
【００２６】
フィルタ周縁押圧部２１は、フィルタ周縁を押圧するもので、例えば、下部開口部２３の近傍に、フィルタ部３に対向して設けられる。フィルタ周縁押圧部２１は、連結部２６と上部連結部３５とを連結した際に、試料貯留部２とフィルタ部３とを液密に連結するためのシール部材として機能させてもよい。これにより、部品数を削減することができる。
【００２７】
フィルタ周縁押圧部２１は、濾過を行う際に、フィルタＦの周縁部がめくり上がり濾過漏れが起こることを防止する。特に、フィルタＦの周縁部がめくり上がることが多い、吸引濾過を行う際に有効である。
【００２８】
フィルタ周縁押圧部２１は、試料貯留部２とフィルタ部３とを、連結部２６と上部連結部３５とで連結した際、圧縮されてフィルタＦを押圧する。これにより、フィルタ周縁押圧部２１は、フィルタＦの周縁部を固定することができる。
【００２９】
このようなフィルタ周縁押圧部２１は、ゴムやエラストマー等の弾力のある材料から構成される。例えば、シリコーンゴム、天然ゴム、合成ゴム、ウレタンゴム、ポリオレフィンエラストマー等の材料から構成される。
【００３０】
フィルタ周縁押圧部２１の形状は、フィルタの形状に合わせたものとされる。例えば、濾紙等の円形のフィルタＦの周縁を押圧する場合は、リング状等の形状とすればよい。
【００３１】
この試料貯留部２とフィルタ周縁押圧部２１とは、嵌合、接着、一体成型等の公知の手段により、着脱可能又は着脱不可能に固定されていてもよい。
【００３２】
周壁２４には、作業性の向上等のために、図示されない取手を設けることもできる。また、周壁２４には、貯留された試料の量を示す目盛りを設けることができる。
【００３３】
貯留部２５の容量は、特に限定されず、例えば、５００〜２０００ｍｌとすればよい。
【００３４】
連結部２６は、試料貯留部の下部に設けることができる。例えば、周壁２４の外周面又は内周面に設けることができる。図２に示される一実施形態では、連結部２６は、周壁２４の下端を延長した雌ネジ部として設けられ、上部連結部３５である雄ネジ部と螺合される。
【００３５】
＜フィルタ部＞
フィルタ部３は、フィルタＦを用いて試料貯留部の試料を濾過するもので、フィルタホルダ３１を少なくとも有する。フィルタ部３は、図２、図３に示すように、排気口３２、濾過液誘導部３３、周壁３４、上部連結部３５、下部連結部３６を有していてもよい。また、ホルダ支持部３７を有していてもよい。
【００３６】
フィルタＦは、フィルタホルダ３１により支持され、試料貯留部２に受け入れられた試料を濾過する。フィルタＦは、紙、不織布、ガラスフィルタ等のフィルタ材料から構成される。例えば、濾紙があげられる。フィルタＦは、例えば、孔径が０．１〜１μｍで、直径が５０〜２００ｍｍのシート状とすることができる。
【００３７】
このようなフィルタＦの形状は、特に限定されず、例えば、円板状等のシート状、円錐状等の三次元形状等の任意の形状とすることができる。濾過の際、フィルタＦは、適宜交換して用いられる。
【００３８】
フィルタホルダ３１は、試料貯留部と濾過液収容部とを連通する孔を１つ以上有する。例えば、全面又はその一部が、網、多孔板、多孔質体等により形成されている。フィルタホルダ３１は、フィルタＦの全面又は一部分を支持し、フィルタＦとともに、試料貯留部２と濾過液収容部４との間に挟持される。
【００３９】
フィルタホルダ３１がフィルタＦの全面を支持する場合、フィルタ周縁押圧部２１は、フィルタＦが薄い濾紙等の自立性がないものでも確実にフィルタ周縁部を押圧することができる。このため、ズレや周縁部の浮き上がり等が生じることなく、減圧濾過を行える。
【００４０】
フィルタホルダ３１の形状は、特に限定されず、フィルタＦを支持しつつ、試料貯留部２のフィルタ周縁押圧部２１がフィルタＦの周縁を押圧できる形状とされる。例えば、フィルタＦを平面状のまま支持する板状等があげられる。
【００４１】
このようなフィルタホルダ３１は、例えば、厚さ０．５〜１０ｍｍ、直径５０〜１２０ｍｍ、多孔率１０〜６０％の円盤とすることができる。図３では、フィルタホルダ３１は、フィルタＦの形状より大きくされているが、フィルタＦの形状より小さくすることもできる。フィルタホルダ３１には、フィルタＦを支持する部分に、フィルタＦの位置ずれ防止等のために、凹部、凸部、切り欠き、表示等を設けることができる。
【００４２】
フィルタホルダ３１は、周壁３４で支持されていてもよい。例えば、周壁３４の上端部に載置されてもよく、嵌合、接着、一体成型等の公知の手段により、着脱可能又は着脱不可能に周壁３４に固定されていてもよい。この場合、ホルダ支持部３７は設ける必要がない。また、フィルタホルダ３１は、濾過液誘導部３３と離れていてもよく、接していてもよい。
【００４３】
また、フィルタホルダ３１は、ホルダ支持部３７で支持されていてもよい。例えば、ホルダ支持部３７に載置されていてもよく、ホルダ支持部３７と嵌合、接着、一体成型等の公知の手段により、着脱可能又は着脱不可能に固定されていてもよい。この場合、ホルダ支持部３７は、濾過液誘導部３３と一体化されていてもよく、濾過液誘導部３３と一体化されていなくてもよく、周壁３４と一体化されていてもよい。
【００４４】
排気口３２は、ホース等によって、真空ポンプ等の吸引手段に連結され、濾過器内を負圧にするものである。排気口３２は、任意の場所に１つ以上設けることができる。排気口３２は、フィルタＦに偏りなく吸引力が作用するように設けることが好ましい。
【００４５】
濾過液誘導部３３は、フィルタＦ及びフィルタホルダ３１を通過した濾過液を、濾過液収容部４に誘導するものである。例えば、漏斗状や円筒状の形状とすることができる。濾過液誘導部３３は、フィルタホルダ３１、周壁３４及びホルダ支持部３７の１つ以上と一体化されていてもよい。
【００４６】
濾過液誘導部３３は、例えば、漏斗状の形状の下端部が、濾過液収容部４の開口部４１と連通していてもよい。また、濾過液誘導部３３の内面には、フィルタホルダ３１を支える凸部３８を有していてもよい。
【００４７】
濾過液誘導部３３は、フィルタホルダ３１と排気口３２との間に形成できる。これにより、濾過液が排気口３２に吸引されることを防ぐことができる。
【００４８】
上部連結部３５は、試料貯留部２の連結部２６と連結し、試料貯留部２とフィルタ部３とを一体化する。上部連結部３５は、例えば、排気口３２よりも上部に設けることができる。図２に示される一実施形態では、上部連結部３５は、周壁３４の外周面に雄ネジ部として設けられ、試料貯留部２の連結部２６の雌ネジ部と螺合される。
【００４９】
下部連結部３６は、濾過液収容部４の連結部４３と連結し、フィルタ部３と濾過液収容部４とを一体化する。下部連結部３６は、例えば、排気口３２よりも下部に設けることができる。図２に示される一実施形態では、下部連結部３６は、周壁３４の下端を延長した雌ネジ部として設けられ、濾過液収容部４の連結部４３の雄ネジ部と螺合される。
【００５０】
ホルダ支持部３７は、フィルタホルダ３１を支持する。図３に示される一実施形態では、ホルダ支持部３７は、周壁３４の内周面から突出した形状とされ、その上面においてフィルタホルダ３１を支持する。ホルダ支持部３７は、濾過液誘導部３３及び／又は周壁３４と一体化されていてもよい。
【００５１】
ホルダ支持部３７において、フィルタホルダ３１を支持する部分には、フィルタホルダ３１の位置ずれ防止等のために、凹部、凸部、切り欠き、表示等を設けることができる。
【００５２】
＜濾過液収容部＞
濾過液収容部４は、フィルタで濾過された濾過液を収容するものである。濾過液収容部４は、図２に示すように、濾過液を受け入れる開口部４１、濾過液を収容する収容部４２、連結部４３、を少なくとも有する。この濾過液収容部４の形状は、特に限定されず、例えば、開口部４１を上部に有するカップ状、フラスコ状等の任意の形状の容器とされ、好ましくは、有底の円筒状容器である。濾過液収容部４の側面には、作業性の向上等のために、取手４４を少なくとも１つ設けてもよい。また、濾過液収容部４の側面には、収容部４２に収容された濾過液の量を示す目盛りを設けることができる。
【００５３】
収容部４２の容量は、特に限定されず、例えば、５００〜２０００ｍｌとされる。また、連結部４３は、フィルタ部３の下部連結部３６と連結される。
【００５４】
＜濾過器の構成材料＞
濾過器１は、プラスチック、ガラス、金属等の任意の材料で構成される。プラスチックとしては、ポリプロピレンやポリエチレン等のポリオレフィン系樹脂、ＰＥＴ等のポリエステル系樹脂、ポリスルホンやポリイミド等の耐熱性樹脂、フッ素樹脂、アクリル系樹脂等があげられる。金属としては、ステンレスやアルミニウムがあげられる。
【００５５】
濾過器１の構成材料をプラスチックとすると、安価に製造でき、軽量で破損等が起こりにくいため取扱いが容易であり、濾過液の金属汚染を防止できる。濾過器１は、内容物や量が確認できる材料（例えば透明材料等）で形成されていてもよく、内容物や量が確認できない材料で形成されていてもよい。加熱殺菌可能とするために、耐熱性樹脂で形成されていてもよい。
【００５６】
＜連結部の連結手段＞
本発明の濾過器における各連結部は、作業者の手作業による又は工具等を利用する連結手段等を有する。連結手段としては、例えば、ネジ機構、係合機構（雄差込部材と雌差込部材を組み合わせたバックル式の留め具と同じ構造を有するもの等）、バヨネットロック機構、ボルトによる締付機構等の１種以上の機構を用いた手段があげられる。また、接着や一体成型等の手段でもよい。洗浄等のメンテナンスを考慮すると、濾過器１は、着脱可能に組み立てられたものとすることができる。
【００５７】
＜濾過器の組み立て・分解＞
本発明の濾過器１の組み立て・分解の方法は、特に限定されない。例えば、図１〜４に示される濾過器１の場合、次の方法（１）〜（５）により、組み立てることができる。
（１）フィルタ周縁押圧部２１を、試料貯留部２と一体化する。
（２）フィルタ部３のホルダ支持部３７と、濾過液収容部４とを、下部連結部３６と連結部４３とにより一体化する。
（３）フィルタホルダ３１を、ホルダ支持部３７で支持する。
（４）フィルタＦをフィルタホルダ３１で支持する。
（５）試料貯留部２と、フィルタ部３とを、連結部２６と上部連結部３５とにより一体化する。
【００５８】
濾過器１を組み立てた後に、排気口３２と排気装置（真空ポンプ等）とをホース等で連結する。その後、試料貯留部２の上部開口部２２から試料を投入し、排気装置を駆動させることで吸引濾過を行うことができる。なお、濾過器１を分解する際は、例えば、上記の組み立て方法と逆の順序で行えばよい。
【００５９】
［第二の実施形態］
次に本発明の第二の実施形態の濾過器について説明する。本実施形態の濾過器は、基本的には前述した第一の実施形態の濾過器１と同じ構成を有するので、同一の構成についてはその詳細な説明を省略する。本実施形態においては、図５〜８に示すようにフィルタホルダ３１により支持されたフィルタＦ上に扁平なリング状の緩衝部材２７と扁平なリング状のフィルタ周縁押圧部２１とを積層した構造を有する。これにより、フィルタＦとフィルタ周縁押圧部２１との間に緩衝部材２７を介在させた構造となっている。
【００６０】
この緩衝部材２７は、発泡性樹脂性シート等の圧吸収性と摺動性とを有する材料のシートから構成される。例えば、発泡スチレン、発泡ポリエチレン等の材料から構成される。
【００６１】
このような構成を採用することにより、フィルタＦから収容部４２へ試料液が漏洩することを好適に防止することが可能となる。これは以下のような理由による。すなわち、前記第一の実施形態においては、フィルタＦをフィルタホルダ３１で支持したら、試料貯留部２とフィルタ部３とを、連結部２６と上部連結部３５とにより螺合することにより、フィルタ周縁押圧部２１は、フィルタＦの周縁部に固定しているが、このときフィルタＦはシリコーンゴム製などのフィルタ周縁押圧部２１と密着しているので、試料貯留部２を螺合する際に、フィルタＦを回動する方向に応力が生じ、フィルタＦにシワ、たるみなどが生じることにより、フィルタＦから収容部４２へ試料液が漏洩することが起こることがある。これに対し、本実施形態においては、フィルタＦとフィルタ周縁押圧部２１との間に緩衝部材２７を介在させているので、試料貯留部２をフィルタ部３に螺合する際のフィルタ周縁押圧部２１からフィルタＦに伝達される押圧及び回動圧力を、この緩衝部材２７が圧吸収性と回動応力放散性を発揮することで緩和し、フィルタＦにシワ、たるみなどが生じることを防止することができるからである。
【００６２】
［第三の実施形態］
さらに本発明の第三の実施形態の濾過器について説明する。本実施形態の濾過器は、基本的には前述した第一の実施形態の濾過器１と同じ構成を有するので、同一の構成についてはその詳細な説明を省略する。本実施形態においては、図９に示すように濾過液を収容する収容部４２の連結部４３の雄ネジ部と螺合可能な蓋部材５を設けたものである。
【００６３】
これにより収容部４２に濾過液を貯留したら、この収容部４２に蓋部材５を取り付けることで、容易に濾過液を持ち運んだり、保管したりすることができる。
【００６４】
また、図１０及び図１１に示すように、蓋部材５Ａとして、蓋本体５１とこの蓋本体５１に形成された開口部５２と、この開口部５２を開閉可能な開口受部５４を有する開閉部５３とを有するものを用いてもよい。このような蓋部材５Ａを用いることにより、収容部４２に蓋部材５Ａを取り付けたら、開閉部５３により開口部５２を開閉することにより、収容部４２に蓋部材５を取り付けたまま濾過液を取り出すことができる。
【００６５】
＜他の実施形態（変形例）＞
以上、本発明の濾過器について、前記各実施形態に基づいて説明してきたが、本発明は、前記各実施形態に限定されず、種々の変形実施が可能である。例えば、試料貯留部２とフィルタ部３と濾過液収容部４とは、前記各実施形態のようにそれぞれ別部材であってもよいが、接着や一体成型等により一体化されていてもよく、具体的にはフィルタ部３と濾過液収容部４とを一体化してもよい、また、フィルタ部３において、フィルタホルダ３１とホルダ支持部３７とは、接着や一体成型等により一体化されていてもよい。さらに、フィルタ部３をあらかじめ一体化しておき、フィルタカートリッジの形態として用いることで、フィルタ交換作業を簡略化することができる。さらにまた、試料貯留部２とフィルタ部３と濾過液収容部４とは、螺合により接合する必要はなく、嵌合により接合してもよい。あるいは、試料貯留部２とフィルタ部３と濾過液収容部４のそれぞれの接合部にフランジ部を形成して当接させ、このフランジ部をクランプなどの挟圧部材により圧接することで接合してもよい。この場合、本発明の濾過器のろ過器は樹脂製で軽量であることから、挟圧部材としては、できるだけ小型のものを選定することが好ましい。
【符号の説明】
【００６６】
１    濾過器
２    試料貯留部
２１  フィルタ周縁押圧部
２２  上部開口部
２３  下部開口部
２４  周壁
２５  貯留部
２６  連結部
２７  緩衝部材
３    フィルタ部
Ｆ    フィルタ
３１  フィルタホルダ
３２  排気口
３３  濾過液誘導部
３４  周壁
３５  上部連結部
３６  下部連結部
３７  ホルダ支持部
３８  凸部
４    濾過液収容部
４１  開口部
４２  収容部
４３  連結部
４４  取手
５  蓋部材
５Ａ  蓋部材
５１  蓋本体
５２  開口部
５３  開閉部
５４  開口受部
【図１】
2020163382.tif 000003
【図２】
2020163382.tif 000004
【図３】
2020163382.tif 000005
【図４】
2020163382.tif 000006
【図５】
2020163382.tif 000007
【図６】
2020163382.tif 000008
【図７】
2020163382.tif 000009
【図８】
2020163382.tif 000010
【図９】
2020163382.tif 000011
【図１０】
2020163382.tif 000012
【図１１】
2020163382.tif 000013